(57)【特許請求の範囲】
【請求項１】
燃料ポンプから燃料が供給される燃料通路が内部に形成されたメインパイプと、
コントロールユニットにより開閉制御される燃料噴射弁が内部に連結される筒形ソケット部と、
前記メインパイプと前記筒形ソケット部との間に設けられて、前記燃料通路から前記燃料噴射弁に供給される燃料を加熱する加熱装置とを備え、
前記加熱装置は前記メインパイプの周部に形成された連通孔と隣接する位置に形成された燃料導入孔により前記燃料通路と連通接続される加熱室を内部に有し、前記加熱室と連通する前記筒形ソケット部を中心軸が平行に配置されるようにして下部に一体的に設けた筒形ケーシングと、前記加熱室内にて前記筒形ケーシングの軸線方向と平行に配置された棒状加熱体とを備えた加熱式燃料デリバリパイプであって、
エンジンに取り付けられた状態にて、前記筒形ケーシングの軸線方向が前記メインパイプの長手方向と交差する交差平面上にあって、前記筒形ケーシングが前記メインパイプの上側で斜めに配置され、
前記筒形ケーシングと前記筒形ソケット部との間には前記メインパイプ側の周壁内面から内側に突出して前記メインパイプ側の周壁内面に沿って燃料が通過するのを阻止する遮蔽部を設けるとともに、
前記棒状加熱体を前記筒形ケーシング内の中心軸よりも前記メインパイプ側に寄せて配置したことを特徴する加熱式燃料デリバリパイプ。
【請求項２】
請求項１に記載の加熱式デリバリパイプにおいて、
前記燃料導入孔の軸線方向を前記筒形ケーシングの前記メインパイプ側と反対側の上部に向けて傾斜させたことを特徴とする加熱式燃料デリバリパイプ。
【請求項３】
請求項１または２に記載の加熱式デリバリパイプにおいて、
前記連通孔と前記燃料導入孔とを前記棒状加熱体と対向する位置から前記メインパイプの長手方向にずらして配置したことを特徴とする加熱式燃料デリバリパイプ。
【請求項４】
請求項１または２に記載の加熱式デリバリパイプにおいて、
前記連通孔と前記燃料導入孔とを少なくとも２対とし、前記連通孔と前記燃料導入孔を前記棒状加熱体と対向する位置から前記メインパイプの長手方向の両側にずらして配置したことを特徴とする加熱式燃料デリバリパイプ。
【発明の詳細な説明】
【技術分野】
【０００１】
本発明は、ガソリンよりも着火温度の高いアルコールを含む燃料を加熱して噴射する場合に用いる加熱式燃料デリバリパイプに関する。
【背景技術】
【０００２】
エタノール燃料またはエタノール混合ガソリン燃料を使用するエンジンの場合に、ガソリンよりも着火温度の高いエタノールを低温始動時にも着火しやすくするために、燃料を予め加熱してエンジンに供給する方式が採用されている。この場合には、燃料デリバリパイプのメインパイプから燃料噴射弁に供給される間に燃料を加熱するように、メインパイプと噴射弁ソケットとの間に加熱装置を設けるようにしている。
【０００３】
上述した燃料を加熱して燃料噴射弁に供給する加熱式燃料デリバリパイプの一例が特許文献１に開示されている。特許文献１の加熱式燃料デリバリパイプは、燃料ポンプから燃料が供給される燃料通路が内部に形成されたメインパイプと、コントロールユニットにより開閉制御される燃料噴射弁が内部に連結される噴射弁ソケットと、メインパイプと噴射弁ソケットとの間に設けられて、燃料通路から燃料噴射弁に供給される燃料を加熱する加熱装置とを備えている。
【０００４】
特許文献１の加熱式燃料デリバリパイプの加熱装置は、メインパイプに形成された連通孔によってメインパイプの燃料通路と連通する加熱室を内部に有した筒形ケーシングと、筒形ケーシング内にてその中心軸と同軸的に配設されて加熱室内を加熱するグロープラグとを備えている。また、筒形ケーシングの下部には上述した噴射弁ソケットが加熱室と連通した状態にて固着されている。燃料タンクからメインパイプに送出された燃料は、連通孔から加熱装置の筒形ケーシングの加熱室内に流入し、加熱室内に流入した燃料はグロープラグによって加熱されてから噴射弁ソケットに連結した燃料噴射弁に供給される。
【先行技術文献】
【特許文献】
【０００５】
【特許文献１】特開２０１４−１９９０４６号公報
【発明の概要】
【発明が解決しようとする課題】
【０００６】
特許文献１の加熱式燃料デリバリパイプでは、燃料噴射弁がエンジンに斜めに傾いた傾斜姿勢で取り付けられているため、燃料噴射弁を連結する噴射弁ソケットと加熱装置の筒形ケーシングも軸線方向が斜めに傾いた傾斜姿勢となっている。筒形ケーシングの加熱室は、メインパイプ側の周壁と対向する対向壁側の上部が最も高くなっており、メインパイプ側の周壁側の下部が最も低くなっている。メインパイプの燃料通路から加熱室に流入した燃料はグロープラグの周囲を通過することで加熱され、このとき、加熱室内にて対向壁と上壁との間に形成された上部の角部に加熱されて温められた燃料が溜まり、温度の低い燃料が上部の角部と対角線上に配置される下部の角部に滞留する。エンジンの始動によって燃料噴射弁が開放されると、上部の角部に溜まった温められた燃料が噴射弁ソケットの内部に流入し、下部の角部に滞留している温度の低い燃料が噴射弁ソケットに流入しないようになっている。
【０００７】
この種の加熱式燃料デリバリパイプでは、エンジンが温まるまでの始動時の約５秒間、燃料噴射弁に温めた燃料を供給できるようにした加熱室の容積とする必要がある。特許文献１の加熱式燃料デリバリパイプでは、筒形ケーシングの下部の角部に温度の低い燃料を滞留させているために、この下部の角部の部分は温められた燃料を溜めるために用いることができず、加熱装置の筒形ケーシングが大型化する問題があった。このため、加熱式燃料デリバリパイプをエンジンルームに適切に収容できないおそれや、加熱式燃料デリバリパイプの生産コストが高くなるおそれがあった。本発明は、加熱式燃料デリバリパイプの加熱性能を維持した状態でできる限り小型化しつつ、生産コストを抑制することを目的とする。
【課題を解決するための手段】
【０００８】
上記課題を解決するために、本発明は、燃料ポンプから燃料が供給される燃料通路が内部に形成されたメインパイプと、コントロールユニットにより開閉制御される燃料噴射弁が内部に連結される筒形ソケット部と、メインパイプと筒形ソケット部との間に設けられて、燃料通路から燃料噴射弁に供給される燃料を加熱する加熱装置とを備え、加熱装置はメインパイプの周部に形成された連通孔と隣接する位置に形成された燃料導入孔により燃料通路と連通接続される加熱室を内部に有し、加熱室と連通する筒形ソケット部を中心軸が平行に配置されるようにして下部に一体的に設けた筒形ケーシングと、加熱室内にて筒形ケーシングの軸線方向と平行に配置された棒状加熱体とを備えた加熱式燃料デリバリパイプであって、エンジンに取り付けられた状態にて、筒形ケーシングの軸線方向がメインパイプの長手方向と交差する交差平面上にあって、筒形ケーシングがメインパイプの上側で斜めに配置され、筒形ケーシングと筒形ソケット部との間にはメインパイプ側の周壁内面から内側に突出してメインパイプ側の周壁内面に沿って燃料が通過するのを阻止する遮蔽部を設けるとともに、棒状加熱体を筒形ケーシング内の中心軸よりもメインパイプ側に寄せて配置したことを特徴する加熱式燃料デリバリパイプを提供するものである。
【０００９】
上記のように構成した加熱式燃料デリバリパイプでは、エンジンに取り付けられた状態にて、筒形ケーシングの軸線方向がメインパイプの長手方向と交差する交差平面上にあって、筒形ケーシングがメインパイプの上側で斜めに配置されている。メインパイプの燃料通路から加熱室に流入した燃料の一部はメインパイプ側の周壁に沿って流れ落ちるが、筒形ケーシングと筒形ソケット部との間にてメインパイプ側の周壁内面から内側に突出した遮蔽部により、流れ落ちた燃料が十分に温められることなく筒形ソケット部の内部に送られるのを防ぐことができる。また、加熱室内で加熱された温度の高い燃料は加熱室内にて最も高い位置となる筒形ケーシングのメインパイプ側と反対側の上部の角部に溜まる一方、十分に加熱されてない温度の低い燃料は加熱室内にて最も低い位置となる筒形ケーシングのメインパイプ側の下部の角部に溜まりやすくなる。これに対し、棒状加熱体を筒形ケーシングの中心軸よりメインパイプ側に寄せて配置したため、筒形ケーシングのメインパイプ側の下部の角部に溜まる燃料を棒状加熱体によって加熱することができ、筒形ケーシングの加熱室の容積を必要以上に大きくする必要がなくなった。これにより、加熱式燃料デリバリパイプの加熱性能を維持した状態でできる限り小型化しつつ、生産コストを抑制することができるようになった。
【００１０】
上記のように構成した加熱式燃料デリバリパイプでは、燃料導入孔の軸線方向を筒形ケーシングのメインパイプ側と反対側の上部に向けて傾斜させるのが好ましい。上述した様に、加熱室内で加熱された温度の高い燃料は加熱室内にて最も高い位置となる筒形ケーシングのメインパイプ側と反対側の上部に溜まるおそれがあるが、燃料導入孔の軸線方向を筒形ケーシングのメインパイプ側と反対側の上部に向けて傾斜させたので、メインパイプの燃料通路から連通孔と燃料導入孔とを通過した燃料は加熱室内にて筒形ケーシングのメインパイプ側と反対側の上部に向かって流れるようになり、加熱室内にて温度の高い燃料が筒形ケーシングのメインパイプ側と反対側の上部に滞留するのを防ぐことできた。
【００１１】
上記のように構成した加熱式燃料デリバリパイプにおいては、連通孔と燃料導入孔とを棒状加熱体と対向する位置からメインパイプの長手方向にずらして配置するのが好ましい。また、他の実施形態として、連通孔と燃料導入孔とを少なくとも２対とし、棒状加熱体と対向する位置からメインパイプの長手方向の両側にずらして配置するのも好ましい。このようにしたときには、燃料通路から連通孔と燃料導入孔とを通過した燃料は加熱室内に流入したときに棒状加熱体の周囲を通過するときに加熱されるとともに、加熱された燃料は棒状加熱体に流れを遮られることなく加熱室の上部に流れるようになる。これにより、加熱室内の燃料の加熱効率をさらに向上させることができるようになった。
【図面の簡単な説明】
【００１２】
【図１】本発明による加熱式燃料デリバリパイプの第１実施形態の全体構造を示す斜視図である。
【図２】図１の加熱装置の取り付け側を正面とした正面図である。
【図３】図２のグロープラグを取り外した状態の上面図である。
【図４】図２の右側面図である。
【図５】加熱式燃料デリバリパイプをエンジンに取り付けた姿勢でのＡ−Ａ断面図である。
【図６】第２実施形態の図５に相当するＡ−Ａ断面図である。
【図７】第３実施形態のＢ−Ｂ断面図である。
【図８】第４実施形態のＢ−Ｂ断面図である。
【発明を実施するための形態】
【００１３】
以下に、添付図面により、本発明による加熱式燃料デリバリパイプの実施形態の説明をする。加熱式燃料デリバリパイプ１０は、エタノール等のアルコール燃料またはエタノール等のアルコールをガソリンに混ぜたアルコール混合燃料をエンジンに供給するのに用いられるものであり、エンジンの低温始動時に着火温度の高いアルコールを着火しやすくするために、燃料を予め加熱してエンジンに供給するためのものである。
（第１実施形態）
第１実施形態の加熱式燃料デリバリパイプ１０は直列４気筒のエンジンに用いられるものであり、図１〜図５に示すように、燃料ポンプ（図示省略）から燃料が供給される燃料通路１１ａが内部に形成されたメインパイプ１１と、燃料噴射弁Ｉが内部に連結される筒形ソケット部２４と、メインパイプ１１と筒形ソケット部２４との間に設けられ、メインパイプ１１の燃料通路１１ａから燃料噴射弁Ｉに供給される燃料を加熱する加熱装置２０とを備えている。
【００１４】
図３〜図５に示したように、メインパイプ１１は、横方向に長く浅い略箱型をした第１ケース１２と、同様に横方向に長く浅い略箱形をした第２ケース１３とを備えている。図５に示したように、メインパイプ１１は、第１及び第２ケース１２，１３の各開口を互いに向かい合わせて、第１ケース１２の開口内に第２ケース１３を挿嵌して全周を接合して、ろう付けにより液密に一体的に結合したものであって、第１及び第２ケース１２，１３の間に燃料が通過する燃料通路１１ａを形成したものである。この加熱式燃料デリバリパイプ１０をエンジンに取り付けた状態では、第１ケース１２が上側で第２ケース１３が下側となるように配置されている。なお、この実施形態のメインパイプ１１は第１及び第２ケース１２，１３を一体的に結合したものであるが、内部に燃料通路が形成されるよう両端を閉じた管部材または筒部材を用いたものであってもよい。
【００１５】
図１〜図３に示したように、第１ケース１２の長手方向の端部には図示しない燃料ポンプ（図示省略）から燃料が供給される燃料供給管１４が連結されており、燃料ポンプから供給される燃料は燃料供給管１４を通ってメインパイプ１１内の燃料通路１１ａに導かれる。図５に示したように、メインパイプ１１の第１ケース１２には燃料噴射弁Ｉと同じ数（この実施形態では４つ）の連通孔１２ａが形成されており、これら連通孔１２ａはメインパイプ１１の長手方向に等間隔に配置した燃料噴射弁Ｉの間隔と同じ間隔で形成されている。これら連通孔１２ａは後述する加熱装置２０の筒形ケーシング２１に形成した連通孔２１ｂとともにメインパイプ１１の燃料通路１１ａと筒形ケーシング２１内の加熱室２２とを連通させている。図１〜図３に示したように、第１ケース１２の長手方向の中央部には外側に膨らむ膨出部１２ｂが形成されている。膨出部１２ｂは振動時の剛性確保のために付与したものであり、メインパイプ１１の第２ケース１３に燃料圧力の脈動を吸収する脈動吸収機能を付与している。
【００１６】
図１〜図３に示したように、第１ケース１２には最も左側と左から２番目の加熱装置２０の間と、最も右側と右から２番目の加熱装置２０の間に取付ブラケット１５が固着されており、加熱式燃料デリバリパイプ１０は取付ブラケット１５によってエンジンに固定されている。
【００１７】
加熱装置２０はメインパイプ１１から燃料噴射弁Ｉに送られる燃料を加熱するものであり、この実施形態では燃料噴射弁Ｉの数に応じた数でメインパイプ１１に設けられている。加熱装置２０は、メインパイプ１１に固着して内部に加熱室２２を有した筒形ケーシング２１と、筒形ケーシング２１内を加熱するグロープラグ（棒状加熱体）２６とを備えている。筒形ケーシング２１の上部には蓋体２３が設けられており、蓋体２３によって筒形ケーシング２１の上側が塞がれている。加熱室２２の容積はエンジンの始動時にてエンジンが温まるまでの約５秒間、燃料を加熱することができる容積として約５ｍｌとなっている。蓋体２３にはグロープラグ２６を連結する筒形のプラグソケット２５が固着されており、プラグソケット２５の軸線方向は筒形ケーシング２１の軸線方向と平行に配置されている。図１、図４及び図５に示したように、筒形ケーシング２１の加熱室２２が形成された部分では、メインパイプ１１の長手方向と直交する方向の内径がメインパイプ１１の長手方向の内径よりも長くなっている。
【００１８】
筒形ケーシング２１にはメインパイプ１１側の周壁２１ａに燃料導入孔２１ｂが形成されており、この燃料導入孔２１ｂはメインパイプ１１の連通孔１２ａと隣接する位置に形成されている。加熱室２２は筒形ケーシング２１の燃料導入孔２１ｂとメインパイプ１１の連通孔１２ａとによって燃料通路１１ａと連通しており、燃料通路１１ａ内の燃料は連通孔１２ａ、燃料導入孔２１ｂを通って加熱室２２に流入する。図５に示したように、加熱式燃料デリバリパイプ１０がエンジンに取り付けられた状態では、筒形ケーシング２１の軸線方向がメインパイプ１１の長手方向と交差する交差平面上にあって、筒形ケーシング２１がメインパイプ１１の上側で斜めに配置されている。なお、この実施形態では、筒形ケーシング２１の軸線方向はメインパイプ１１の長手方向と直交する直交平面上に配置されている。この状態で、筒形ケーシング２１のメインパイプ１１側の周壁２１ａと対向する対向壁２１ｃの上部と蓋体２３との間に形成される上部の角部が最も高い位置となっており、筒形ケーシング２１のメインパイプ１１側の周壁２１ａの下部の角部が最も低い位置となっている。
【００１９】
図５に示したように、筒形ケーシング２１の下部には円柱形の嵌合孔が形成された筒形ソケット部２４が一体的に形成されており、筒形ソケット部２４には燃料噴射弁Ｉが連結されている。筒形ソケット部２４が筒形ケーシング２１の下部に熱間鍛造により一体的に設けられているため、これらを別体としたものと比して部品点数を少なくして生産コストを低く抑えることができている。筒形ソケット部２４の中心軸Ｃ２は筒形ケーシング２１の中心軸Ｃ１と平行な状態でメインパイプ１１側にずらした位置となっている。筒形ソケット部２４の内径はメインパイプ１１の長手方向における筒形ケーシング２１の内径とほぼ同じとなっている。
【００２０】
図５に示したように、筒形ケーシング２１と筒形ソケット部２４の間にはメインパイプ１１側と反対側に加熱室２２と筒形ソケット部２４の内部を連通する連通孔２１ｄが形成されており、筒形ケーシング２１と筒形ソケット部２４との間にはメインパイプ１１側の周壁２１ａから内側に突出する遮蔽部２１ｅが形成されている。エンジンに取り付けられた状態で、連通孔２１ｄは筒形ケーシング２１と筒形ソケット部２４との間の高い位置に形成されており、遮蔽部２１ｅは筒形ケーシング２１と筒形ソケット部２４との間の低い位置に形成されているので、図５の矢印に示したように、加熱室２２内にて温められた燃料は高い位置の連通孔２１ｄを通って加熱室２２から筒形ソケット部２４の内部に送出され、加熱室２２内にて温められてない燃料は遮蔽部２１ｅによって筒形ソケット部２４の内部に流入されないようになっている。
【００２１】
グロープラグ２６は加熱室２２内の燃料を加熱するものであり、プラグソケット２５に取り付けられる取付基部２６ａと、取付基部２６ａから加熱室２２内に延びる棒状のヒータ部２６ｂとを備えている。グロープラグ２６のヒータ部２６ｂの軸線方向は筒形ケーシング２１の軸線方向と平行に配置され、ヒータ部２６ｂは筒形ケーシング２１の中心軸Ｃ１よりもメインパイプ１１側に寄せて配置されている。また、グロープラグ２６のヒータ部２６ｂはメインパイプ１１の長手方向にて筒形ケーシング２１の中央部に配置されている。図５に示したように、加熱式燃料デリバリパイプ１０がエンジンに取り付けられた状態で、グロープラグ２６のヒータ部２６ｂはメインパイプ１１と筒形ケーシング２１の連通孔１２ａ、燃料導入孔２１ｂと近接する位置に配置されるとともに、筒形ケーシング２１のメインパイプ１１側の周壁２１ａの下部と遮蔽部２１ｅとの間の角部の加熱室２２の低い部分に延びるように配置されている。
【００２２】
筒形ソケット部２４は燃料噴射弁Ｉが連結されるものであり、筒形ソケット部２４の内部は連通孔２１ｄによって加熱室２２と連通されている。加熱式燃料デリバリパイプ１０がエンジンに取り付けられた状態で、筒形ソケット部２４の内部を加熱室２２に連通させる連通孔２１ｄは筒形ケーシング２１と筒形ソケット部２４との間の高い位置に形成されている。筒形ソケット部２４には燃料噴射弁ＩがＯリングのようなシール部材２７によって液密に連結されている。筒形ソケット部２４の下縁の横方向の両側には外側に広がるフランジ部２４ａが一体的に形成されており、このフランジ部２４ａは燃料噴射弁Ｉの廻り止めの機能を有している。
【００２３】
上記のように構成した加熱式燃料デリバリパイプ１０を用いたエンジンでは、エンジンの始動時にイグニッションスイッチがオンされると、燃料のアルコール濃度が所定値以上であり周囲の温度が所定値以下である場合に、燃料噴射弁Ｉからエンジンに燃料噴射が行われる前に燃料の加熱が実行される。加熱室２２内の燃料はグロープラグ２６のヒータ部２６ｂによって加熱され、加熱された燃料は加熱室２２内の最も高い位置（筒形ケーシング２１のメインパイプ１１側の周壁２１ａと対向する対向壁２１ｃの上部の角部）に充満する。また、温度の低い燃料は加熱室２２の最も低い位置（筒形ケーシング２１のメインパイプ１１側の周壁２１ａの下部の角部）に滞留しやすくなるが、この部分にはグロープラグ２６のヒータ部２６ｂが配設されているので、図５の矢印に示したように、この部分の燃料はグロープラグ２６のヒータ部２６ｂにより加熱されて加熱室２２内を上昇し、この部分には温度の低い燃料が残りにくくなる。
【００２４】
また、燃料噴射弁Ｉから燃料噴射が行われると、加熱室２２の対向壁２１ｃ側の上部の角部に充満している燃料が対向壁２１ｃに沿って連通孔２１ｄから筒形ソケット部２４の内部に流入するとともに、メインパイプ１１の燃料通路１１ａから加熱室２２に燃料が流入する。流入した燃料は連通孔１２ａ、燃料導入孔２１ｂの直ぐ近くに配設されたグロープラグ２６のヒータ部２６ｂを通過するときに加熱される。また、加熱室２２に流入した燃料の一部はメインパイプ１１側の周壁２１ａに沿って流れ落ちるが、筒形ケーシング２１のメインパイプ１１側の周壁２１ａには筒形ソケット部２４との間に遮蔽部２１ｅが形成されているので、燃料が十分に加熱されてない状態で筒形ソケット部２４に流入しないようになる。さらに、燃料通路１１ａから加熱室２２に流入した燃料の一部が筒形ケーシング２１のメインパイプ１１側の周壁２１ａに沿って流れ落ちて、筒形ケーシング２１の周壁２１ａの下部と遮蔽部２１ｅとの角部に滞留するおそれがある。しかし、この部分にはグロープラグ２６のヒータ部２６ｂが配置されているので、図５の矢印に示したように、この部分の燃料はグロープラグ２６のヒータ部２６ｂにより加熱されて加熱室２２内を上昇し、この部分に燃料が加熱されずに滞留するのを防ぐことができる。これによって、筒形ケーシング２１のメインパイプ１１側の周壁２１ａの下部の角部に温度の低い燃料が溜まるのを防ぐことができ、筒形ケーシング２１の内部の加熱室２２のデッドスペースをなくすことができ、筒形ケーシング２１の加熱室２２の容積を必要以上に大きくする必要がなくなった。これによって、加熱式燃料デリバリパイプ１０の加熱性能を維持した状態でできる限り小型化しつつ、生産コストを抑制することができるようになった。
【００２５】
（第２実施形態）
次に、第２実施形態の加熱式燃料デリバリパイプについて図６を用いて説明する。第２実施形態の加熱式デリバリパイプ１０は、主として第１実施形態の加熱式デリバリパイプ１０の筒形ケーシング２１に形成した燃料導入孔２１ｂを変更したものである。第１実施形態の加熱式デリバリバリパイプ１０では、筒形ケーシング２１の燃料導入孔２１ｂはメインパイプ１１の連通孔１２ａと同軸的に形成され、燃料導入孔２１ｂの軸線方向はメインパイプ１１の長手方向及び筒形ケーシング２１の軸線方向に直交し、筒形ケーシング２１内の軸線方向の高さの中間部に向いている。これに対して、第２実施形態の加熱式デリバリパイプ１０では、燃料導入孔２１ｂの軸線方向は連通孔１２ａの軸線方向よりも上側に２５°（図６のθにて示す）傾斜されており、燃料導入孔２１ｂの軸線方向は筒形ケーシング２１のメインパイプ１１側と反対側の上部に（特にこの実施形態では上部の角部に）向けて傾斜している。なお、燃料導入孔２１ｂの軸線方向は連通孔１２ａの軸線方向よりも上側に２５°傾斜させたものに限られるものでなく、燃料導入孔２１ｂの軸線方向を筒形ケーシング２１のメインパイプ１１側と反対側の上部に向けて傾斜させたものであれば、燃料導入孔２１ｂの軸線方向を連通孔１２ａの軸線方向よりも上側に例えば２０°〜３０°の範囲で傾斜させたものであってもよい。
【００２６】
上述した第１実施形態の加熱式燃料デリバリパイプ１０では、加熱室２２内で加熱された温度の高い燃料は加熱室２２内にて最も高い位置となる筒形ケーシング２１のメインパイプ１１側と反対側の上部の角部に溜まるおそれがある。これに対して、第２実施形態の加熱式燃料デリバリパイプ１０では、上述したように、燃料導入孔２１ｂの軸線方向を筒形ケーシング２１のメインパイプ１１側と反対側の上部の角部に向けて傾斜させた。これにより、メインパイプ１１の燃料通路１１ａから連通孔１２ａと燃料導入孔２１ｂとを通過した燃料は加熱室２２内にて筒形ケーシング２１のメインパイプ１１側と反対側の上部で、特に上部の角部に向かって流れるようになり、加熱室２２内にて温度の高い燃料が筒形ケーシング２１のメインパイプ１１側と反対側の上部の角部に滞留するのを防ぐことができ、加熱室２１内の燃料の加熱効率を向上させることができるようになった。なお、この実施形態においては、燃料導入孔２１ｂの軸線方向を筒形ケーシング２１のメインパイプ１１側と反対側の上部に向けて傾斜させたが、連通孔１２ａの軸線方向も燃料導入孔２１ｂと同軸的に筒形ケーシング２１のメインパイプ１１側と反対側の上部に（特に上部の角部が最良である）向けて傾斜させてもよい。
【００２７】
（第３実施形態）
次に、第３実施形態の加熱式燃料デリバリパイプについて図７を用いて説明する。第３実施形態の加熱式デリバリパイプ１０は、主として第１実施形態の加熱式デリバリパイプ１０のメインパイプ１１に形成した連通孔１２ａと筒形ケーシング２１に形成した燃料導入孔２１ｂの位置を変更したものである。第１実施形態の加熱式デリバリバリパイプ１０では、連通孔１２ａと燃料導入孔２１ｂはメインパイプ１１の長手方向にて筒形ケーシング２１の中央部の位置に形成され、連通孔１２ａと燃料導入孔２１ｂとがグロープラグ２６の棒状のヒータ部２６ｂと対向する位置に配置されている。これに対し、第３実施形態の加熱式デリバリパイプ１０では、連通孔１２ａと燃料導入孔２１ｂとはメインパイプ１１の長手方向にて筒形ケーシング２１の中央部から図７に示す左側にずらして配置され、グロープラグ２６の棒状のヒータ部２６ｂと対向する位置からメインパイプ１１の長手方向にずらして配置されている。
【００２８】
上述した第１実施形態の加熱式デリバリパイプ１０では、燃料通路１１ａから連通孔１２ａと燃料導入孔２１ｂとを通過した燃料は筒形ケーシング２１の加熱室２２に流入したときに、燃料導入孔２１ｂに対向する位置に配置されたグロープラグ２６の棒状のヒータ部２６ｂに当たり、燃料の一部がメインパイプ１１側の周壁２１ａの下部に流れ落ちるおそれがある。これに対し、第３実施形態の加熱式燃料デリバリパイプ１０では、上述したように、連通孔１２ａと燃料導入孔２１ｂとはメインパイプ１１の長手方向にてグロープラグ２６の棒状のヒータ部２６ｂと対向する位置からメインパイプ１１の長手方向にずらして配置されている。これにより、燃料通路１１ａから連通孔１２ａと燃料導入孔２１ｂとを通って筒形ケーシング２１の加熱室２２内に流入した燃料はグロープラグ２６の棒状のヒータ部２６ｂの周囲を通過するときに加熱されるとともに、加熱された燃料はグロープラグ２６の棒状のヒータ部２６ｂに流れを遮られることなく加熱室２２の上部に流れるようになる。これにより、加熱室２２内の燃料の加熱効率を向上させることができるようになった。なお、この第３実施形態においても、第２実施形態と同様に、燃料導入孔２１ｂの軸線方向（及び連通孔１２ａの軸線方向）を筒形ケーシング２１のメインパイプ１１側と反対側の上部に向けて傾斜させるのが好ましく、このようにしたときには、加熱室２２内の燃料の加熱効率をさらに向上させることができるようになった。
【００２９】
（第４実施形態）
次に、第４実施形態の加熱式燃料デリバリパイプについて図８を用いて説明する。第４実施形態の加熱式デリバリパイプ１０は、主として第１実施形態の加熱式デリバリパイプ１０のメインパイプ１１に形成した連通孔１２ａと筒形ケーシング２１に形成した燃料導入孔２１ｂとを２対（少なくとも２対）として、これらの位置を変更したものである。上述したように、第１実施形態の加熱式デリバリバリパイプ１０では、連通孔１２ａと燃料導入孔２１ｂとはメインパイプ１１の長手方向にて筒形ケーシング２１の中央部の位置に形成され、連通孔１２ａと燃料導入孔２１ｂとがグロープラグ２６の棒状のヒータ部２６ｂと対向する位置に配置されている。これに対し、第４実施形態の加熱式デリバリパイプ１０では、連通孔１２ａと燃料導入孔２１ｂとを２対とし、連通孔１２ａと燃料導入孔２１ｂとはメインパイプ１１の長手方向にて筒形ケーシング２１の中央部から図７に示す左側及び右側の両側にずらして配置され、グロープラグ２６の棒状のヒータ部２６ｂと対向する位置からメインパイプ１１の長手方向の両側にずらして配置されている。なお、連通孔１２ａと燃料導入孔２１ｂとを２対としたことで、燃料通路１１ａから加熱室２２に多くの燃料が流入するため、連通孔１２ａと燃料導入孔２１ｂとの各孔径を第１〜第３実施形態よりも小さくするのが好ましい。
【００３０】
この第４実施形態の加熱式燃料デリバリパイプ１０においても、第３実施形態と同様に、燃料通路１１ａから連通孔１２ａと燃料導入孔２１ｂとを通っては筒形ケーシング２１の加熱室２２内に流入した燃料はグロープラグ２６の棒状のヒータ部２６ｂの周囲を通過するときに加熱されるとともに、加熱された燃料はグロープラグ２６の棒状のヒータ部２６ｂに流れを遮られることなく加熱室２２の上部に流れるようになる。この第４実施形態の加熱式燃料デリバリパイプ１０でも、第３実施形態と同様に加熱室２２内の燃料の加熱効率を向上させることができるようになった。なお、この第４実施形態においても、第２実施形態と同様に、燃料導入孔２１ｂの軸線方向（及び連通孔１２ａの軸線方向）を筒形ケーシング２１のメインパイプ１１側と反対側の上部に向けて傾斜させるのが好ましく、このようにしたときには、加熱室２２内の燃料の加熱効率をさらに向上させることができるようになった。
【００３１】
この第４実施形態の加熱式燃料デリバリパイプ１０では、連通孔１２ａと燃料導入孔２１ｂとを２対としたが、本発明はこれに限られるものでなく、連通孔１２ａと燃料導入孔２１ｂとを３対以上としてもよく、３対以上の連通孔１２ａと燃料導入孔２１ｂとをグロープラグ２６の棒状のヒータ部２６ｂと対向する位置からメインパイプ１１の長手方向の両側にずらして配置するようにしてもよい。
【００３２】
また、この第４実施形態の加熱式燃料デリバリパイプ１０では、２対以上の連通孔１２ａと燃料導入孔２１ｂをグロープラグ２６の棒状のヒータ部２６ｂと対向する位置からメインパイプ１１の長手方向の両側で筒形ケーシング２１の軸線方向の同じ高さ位置に形成したが、本発明はこれに限られるものでなく、２対以上の連通孔１２ａと燃料導入孔２１ｂを互いに筒形ケーシング２１の軸線方向で異なる高さ位置に形成したものであってもよい。
【００３３】
上記の実施形態は、直列４気筒エンジンに適用されるように、メインパイプ１１に４組の加熱装置２０と筒形ソケット部２４を設けたものであるが、本発明はこれに限られるものでなく、直列３気筒エンジン、直列６気筒エンジン、Ｖ型６気筒エンジン等のエンジンの気筒の数に応じた加熱装置とソケット部の数としたものであってもよい。
【符号の説明】
【００３４】
１０…加熱式燃料デリバリパイプ、１１…メインパイプ、１１ａ…燃料通路、１２ａ…連通孔、２０…加熱装置、２１…筒形ケーシング、２１ｂ…燃料導入孔、２１ｅ…遮蔽部、２２…加熱室、２４…筒形ソケット部、２６…棒状加熱体（グロープラグ）、Ｃ１…筒形ケーシングの中心軸、Ｉ…燃料噴射弁。
【図１】
0006754639.tif 000002
【図２】
0006754639.tif 000003
【図３】
0006754639.tif 000004
【図４】
0006754639.tif 000005
【図５】
0006754639.tif 000006
【図６】
0006754639.tif 000007
【図７】
0006754639.tif 000008
【図８】
0006754639.tif 000009